(57)【要約】  配線基板１９は、第１基板１と、第１基板１より実装面積が小さい第２基板２と、第１基板１と第２基板２との間に設けられているベース基板３と、を積層して構成され、外周の少なくとも一部の厚みが、中央部よりも薄く形成される。ヴィア４４が、第１基板１と第２基板２の少なくともいずれか一つに設けられている。ベース基板３は、第１基板１にのみ接合する部分の厚さが、第１基板１と第２基板２とに挟持された部分の厚さよりも小さい。
2009011025.tif 000002
【特許請求の範囲】
【請求項１】
第１基板（１）と、
前記第１基板（１）より実装面積が小さい第２基板（２）と、
前記第１基板（１）と前記第２基板（２）との間に設けられているベース基板（３）と、を積層して構成され、
外周の少なくとも一部の厚みが、中央部よりも薄く形成され、
前記第１基板（１）と前記第２基板（２）の少なくともいずれか一つにヴィア（４４）を有するとともに、
前記ベース基板（３）は、前記第１基板（１）にのみ接合する部分の厚さが、前記第１基板（１）と前記第２基板（２）とに挟持された部分の厚さよりも小さい、配線基板（１９）。
【請求項２】
第１基板（１）と、
前記第１基板（１）より実装面積が小さい第２基板（２）と、
前記第１基板（１）と前記第２基板（２）との間に設けられているベース基板（３）と、を積層して構成され、
外周の少なくとも一部の厚みが、中央部よりも薄く形成され、
前記第１基板（１）と前記第２基板（２）の少なくともいずれか一つにヴィア（４４）を有するとともに、
前記ベース基板（３）は、前記第１基板（１）にのみ接合する部分が、不連続的に設けられている、配線基板（１９）。
【請求項３】
前記ベース基板（３）は、無機繊維に樹脂を含浸した基材を含んで構成され、
前記第１基板（１）は、無機フィラー配合樹脂と可撓性樹脂の少なくともいずれか一つを含んで構成され、
前記第２基板（２）は、無機フィラー配合樹脂と可撓性樹脂の少なくともいずれか一つを含んで構成される、
ことを特徴とする請求項１記載の配線基板（１９）。
【請求項４】
前記無機繊維はガラスクロスを含有することを特徴とする請求項３記載の配線基板（１９）。
【請求項５】
前記無機フィラーは、シリカフィラーとガラスフィラーの少なくともいずれか一つを含有することを特徴とする請求項３記載の配線基板（１９）。
【請求項６】
前記ベース基板（３）は、無機繊維に樹脂を含浸した基材を含んで構成され、
前記第１基板（１）は、無機フィラー配合樹脂と可撓性樹脂の少なくともいずれか一つを含んで構成され、
前記第２基板（２）は、無機フィラー配合樹脂と可撓性樹脂の少なくともいずれか一つを含んで構成される、
ことを特徴とする請求項２記載の配線基板（１９）。
【請求項７】
前記無機繊維はガラスクロスを含有することを特徴とする請求項６記載の配線基板（１９）。
【請求項８】
前記無機フィラーは、シリカフィラーとガラスフィラーの少なくともいずれか一つを含有することを特徴とする請求項６記載の配線基板（１９）。
【請求項９】
前記ベース基板（３）は、無機フィラー配合樹脂を含んで構成され、
前記第１基板（１）と前記第２基板（２）の少なくともいずれか一つは、無機繊維に樹脂を含浸した基材を含んで構成される、
ことを特徴とする請求項１記載の配線基板（１９）。
【請求項１０】
前記無機繊維はガラスクロスを含有することを特徴とする請求項９記載の配線基板（９）。
【請求項１１】
前記無機フィラーは、シリカフィラーとガラスフィラーの少なくともいずれか一つを含有することを特徴とする請求項９記載の配線基板（１９）。
【請求項１２】
前記ベース基板（３）は、無機フィラー配合樹脂を含んで構成され、
前記第１基板（１）と前記第２基板（２）の少なくともいずれか一つは、無機繊維に樹脂を含浸した基材を含んで構成される、
ことを特徴とする請求項２記載の配線基板（１９）。
【請求項１３】
前記無機繊維はガラスクロスを含有することを特徴とする請求項１２記載の配線基板（９）。
【請求項１４】
前記無機フィラーは、シリカフィラーとガラスフィラーの少なくともいずれか一つを含有することを特徴とする請求項１２記載の配線基板（１９）。
【請求項１５】
前記第１基板（１）上に導体パターンが形成され、
前記第２基板（２）上に導体パターンが形成され、
前記第１基板（１）上の導体パターンと、前記第２基板（２）上の導体パターンと、がスルーホール（６３）によって接続されていることを特徴とする請求項１記載の配線基板（１９）。
【請求項１６】
前記第１基板（１）上に導体パターンが形成され、
前記第２基板（２）上に導体パターンが形成され、
前記第１基板（１）上の導体パターンと、前記第２基板（２）上の導体パターンと、がスルーホール（６３）によって接続されていることを特徴とする請求項２記載の配線基板（１９）。
【請求項１７】
前記ヴィア（４４）の内面にはメッキで形成された導体層が形成され、
前記ヴィア（４４）は、金属で充填されていることを特徴とする請求項１記載の配線基板（１９）。
【請求項１８】
前記ヴィア（４４）の内面にはメッキで形成された導体層が形成され、
前記ヴィア（４４）は、樹脂で充填されていることを特徴とする請求項１記載の配線基板（１９）。
【請求項１９】
前記ヴィア（４４）の内面にはメッキで形成された導体層が形成され、
前記ヴィア（４４）は、金属で充填されていることを特徴とする請求項２記載の配線基板（１９）。
【請求項２０】
前記ヴィア（４４）の内面にはメッキで形成された導体層が形成され、
前記ヴィア（４４）は、樹脂で充填されていることを特徴とする請求項２記載の配線基板（１９）。
【請求項２１】
前記第１基板（１）は、下層絶縁層と上層絶縁層とを有して構成され、
前記第２基板（２）は、下層絶縁層と上層絶縁層とを有して構成されることを特徴とする請求項１記載の配線基板（１９）。
【請求項２２】
前記上層絶縁層上に導体パターンが形成され、
前記下層絶縁層上に導体パターンが形成され、
前記上層絶縁層上の導体パターンと、前記下層絶縁層上の導体パターンと、がヴィア（４４）によって接続されていることを特徴とする請求項２１記載の配線基板（１９）。
【請求項２３】
前記第１基板（１）は、下層絶縁層と上層絶縁層とを有して構成され、
前記第２基板（２）は、下層絶縁層と上層絶縁層とを有して構成されることを特徴とする請求項２記載の配線基板（１９）。
【請求項２４】
前記上層絶縁層上に導体パターンが形成され、
前記下層絶縁層上に導体パターンが形成され、
前記上層絶縁層上の導体パターンと、前記下層絶縁層上の導体パターンと、がヴィア（４４）によって接続されていることを特徴とする請求項２３記載の配線基板（１９）。
【請求項２５】
ベース基板（３）を作成するベース基板作成工程と、
前記ベース基板（３）の両面に位置する絶縁層を作成する絶縁層作成工程と、
前記絶縁層にヴィア（４４）を作成するヴィア作成工程と、
前記絶縁層をカットすることで、第１基板（１）と、前記第１基板（１）より実装面積が小さい第２基板（２）と、を作成するとともに、外周の少なくとも一部の厚みが、中央部よりも薄く形成する、カット工程と、
を有するとともに、
前記カット工程では、前記ベース基板（３）を、前記第１基板（１）にのみ接合する部分の厚さが、前記第１基板（１）と前記第２基板（２）とに挟持された部分の厚さよりも小さいように切削する、配線基板の製造方法。
【請求項２６】
ベース基板（３）を作成するベース基板作成工程と、
前記ベース基板（３）の両面に位置する絶縁層を作成する絶縁層作成工程と、
前記絶縁層にヴィア（４４）を作成するヴィア作成工程と、
前記絶縁層をカットすることで、第１基板（１）と、前記第１基板（１）より実装面積が小さい第２基板（２）と、を作成するとともに、外周の少なくとも一部の厚みが、中央部よりも薄く形成する、カット工程と、
を有するとともに、
前記カット工程では、前記ベース基板（３）を、前記第１基板（１）にのみ接合する部分が、不連続的に設けられているように切削する、配線基板の製造方法。
【請求項２７】
前記ベース基板（３）は、無機繊維に樹脂を含浸した基材を含んで構成され、
前記第１基板（１）は、無機フィラー配合樹脂と可撓性樹脂の少なくともいずれか一つを含んで構成され、
前記第２基板（２）は、無機フィラー配合樹脂と可撓性樹脂の少なくともいずれか一つを含んで構成される、とする請求項２５記載の配線基板の製造方法。
【請求項２８】
前記無機繊維はガラスクロスを含有することを特徴とする請求項２７記載の配線基板の製造方法。
【請求項２９】
前記無機フィラーは、シリカフィラーとガラスフィラーの少なくともいずれか一つを含有することを特徴とする請求項２７記載の配線基板の製造方法。
【請求項３０】
前記ベース基板（３）は、無機繊維に樹脂を含浸した基材を含んで構成され、
前記第１基板（１）は、無機フィラー配合樹脂と可撓性樹脂の少なくともいずれか一つを含んで構成され、
前記第２基板（２）は、無機フィラー配合樹脂と可撓性樹脂の少なくともいずれか一つを含んで構成される、ことを特徴とする請求項２６記載の配線基板の製造方法。
【請求項３１】
前記無機繊維はガラスクロスを含有することを特徴とする請求項３０記載の配線基板の製造方法。
【請求項３２】
前記無機フィラーは、シリカフィラーとガラスフィラーの少なくともいずれか一つを含有することを特徴とする請求項３０記載の配線基板の製造方法。
【請求項３３】
前記ベース基板（３）は、無機フィラー配合樹脂を含んで構成され、
前記第１基板（１）と前記第２基板（２）の少なくともいずれか一つは、無機繊維に樹脂を含浸した基材を含んで構成される、ことを特徴とする請求項２５記載の配線基板の製造方法。
【請求項３４】
前記無機繊維はガラスクロスを含有することを特徴とする請求項３３記載の配線基板の製造方法。
【請求項３５】
前記無機フィラーは、シリカフィラーとガラスフィラーの少なくともいずれか一つを含有することを特徴とする請求項３３記載の配線基板の製造方法。
【請求項３６】
前記ベース基板（３）は、無機フィラー配合樹脂を含んで構成され、
前記第１基板（１）と前記第２基板（２）の少なくともいずれか一つは、無機繊維に樹脂を含浸した基材を含んで構成される、ことを特徴とする請求項２６記載の配線基板の製造方法。
【請求項３７】
前記無機繊維はガラスクロスを含有することを特徴とする請求項３６記載の配線基板の製造方法。
【請求項３８】
前記無機フィラーは、シリカフィラーとガラスフィラーの少なくともいずれか一つを含有することを特徴とする請求項３６記載の配線基板の製造方法。
【請求項３９】
前記第１基板（１）上に導体パターンが形成され、
前記第２基板（２）上に導体パターンが形成され、
前記第１基板（１）上の導体パターンと、前記第２基板（２）上の導体パターンと、がスルーホール（６３）によって接続されていることを特徴とする請求項２５記載の配線基板の製造方法。
【請求項４０】
前記第１基板（１）上に導体パターンが形成され、
前記第２基板（２）上に導体パターンが形成され、
前記第１基板（１）上の導体パターンと、前記第２基板（２）上の導体パターンと、がスルーホール（６３）によって接続されていることを特徴とする請求項２６記載の配線基板の製造方法。
【請求項４１】
前記ヴィア（４４）の内面にはメッキで形成された導体層が形成され、
前記ヴィア（４４）は、金属で充填されていることを特徴とする請求項２５記載の配線基板の製造方法。
【請求項４２】
前記ヴィア（４４）の内面にはメッキで形成された導体層が形成され、
前記ヴィア（４４）は、樹脂で充填されていることを特徴とする請求項２５記載の配線基板の製造方法。
【請求項４３】
前記ヴィア（４４）の内面にはメッキで形成された導体層が形成され、
前記ヴィア（４４）は、金属で充填されていることを特徴とする請求項２６記載の配線基板の製造方法。
【請求項４４】
前記ヴィア（４４）の内面にはメッキで形成された導体層が形成され、
前記ヴィア（４４）は、樹脂で充填されていることを特徴とする請求項２６記載の配線基板の製造方法。
【請求項４５】
前記第１基板（１）は、下層絶縁層と上層絶縁層とを有して構成され、
前記第２基板（２）は、下層絶縁層と上層絶縁層とを有して構成されることを特徴とする請求項２５記載の配線基板の製造方法。
【請求項４６】
前記上層絶縁層上に導体パターンが形成され、
前記下層絶縁層上に導体パターンが形成され、
前記上層絶縁層上の導体パターンと、前記下層絶縁層上の導体パターンと、がヴィア（４４）によって接続されていることを特徴とする請求項４５記載の配線基板の製造方法。
【請求項４７】
前記第１基板（１）は、下層絶縁層と上層絶縁層とを有して構成され、
前記第２基板（２）は、下層絶縁層と上層絶縁層とを有して構成されることを特徴とする請求項２６記載の配線基板の製造方法。
【請求項４８】
前記上層絶縁層上に導体パターンが形成され、
前記下層絶縁層上に導体パターンが形成され、
前記上層絶縁層上の導体パターンと、前記下層絶縁層上の導体パターンと、がヴィア（４４）によって接続されていることを特徴とする請求項４７記載の配線基板の製造方法。
【発明の詳細な説明】
【技術分野】
【０００１】
本発明は、実装面積が互いに異なる複数の基板を組み合わせて形成された配線基板とその製造方法に関する。
【背景技術】
【０００２】
電子機器の中には、小型化及び軽量化が望ましいものがある。電子機器の中でも携帯電話は、小型化及び軽量化に加えて薄型化も期待される。そして携帯電話に使用される配線基板も小型化、軽量化及び薄型化が期待される。【０００３】
ところが、配線基板を薄型化等すると、配線基板の剛性が不足する。そこで例えば特許文献１に配線基板の剛性の不足を解消する技術が開示されている。この技術は、フレキシブル基板の一部に延長部を設けて、その延長部を折り返すことで形成された補強部を有する配線基板である。【０００４】
しかし、この技術では、延長部にある導体パターンまで折り返すものであるため、延長部を折り返すことで導体パターンを断線させる場合がある。また、フレキシブル基板を用いているために配線基板の製造コストが高くなるという問題がある。そのため、フレキシブル基板ではなくてリジッド基板を用い、一部の基板の厚さを増すことで補強部を設ける配線基板も考えられる。しかしながら、この技術では配線基板を落下等させた場合に、配線基板に衝撃が伝わり、電子部品間を接続している配線が断裂する場合がある。【０００５】
一方で、電子機器の配線構造は高い自由度が求められる。そこで、配線構造の高い自由度を得ることができる技術が、例えば、特許文献２に記載される。この文献は、第１基板と、第１基板に積層された第２基板と、を備え、第２基板の輪郭は第１基板の輪郭と異なるプリント基板を開示する。【０００６】
しかし、特許文献２に開示された技術でも、プリント基板が落下等の衝撃を受けた場合に、プリント基板に衝撃が伝わることで、電子部品間を接続する配線が断裂する場合がある。
【特許文献１】実開昭５７−１９４０８７号公報
【特許文献２】ＷＯ０５／０２９９３４
【発明の開示】
【発明が解決しようとする課題】
【０００７】
本発明は、上記の問題点を解決するものである。すなわち、配線基板が落下等の衝撃を受けた場合でも、配線基板に実装された電子部品間を接続する配線の断裂が起こりにくい配線基板とその製造方法を提供することを目的とする。
【課題を解決するための手段】
【０００８】
上記目的を達成するため、この発明の第１の観点に係る配線基板は、
第１基板と、
前記第１基板より実装面積が小さい第２基板と、
前記第１基板と前記第２基板との間に設けられているベース基板と、を積層して構成され、
外周の少なくとも一部の厚みが、中央部よりも薄く形成され、
前記第１基板と前記第２基板の少なくともいずれか一つにヴィアを有するとともに、
前記ベース基板は、前記第１基板にのみ接合する部分の厚さが、前記第１基板と前記第２基板とに挟持された部分の厚さよりも小さい、ことにある。【０００９】
また、上記目的を達成するため、この発明の第２の観点に係る配線基板は、
第１基板と、
前記第１基板より実装面積が小さい第２基板と、
前記第１基板と前記第２基板との間に設けられているベース基板と、を積層して構成され、
外周の少なくとも一部の厚みが、中央部よりも薄く形成され、
前記第１基板と前記第２基板の少なくともいずれか一つにヴィアを有するとともに、
前記ベース基板は、前記第１基板にのみ接合する部分が、不連続的に設けられている、ことにある。【００１０】
また、上記目的を達成するため、この発明の第３の観点に係る配線基板の製造方法は、
ベース基板を作成するベース基板作成工程と、
前記ベース基板の両面に位置する絶縁層を作成する絶縁層作成工程と、
前記絶縁層にヴィアを作成するヴィア作成工程と、
前記絶縁層をカットすることで、第１基板と、前記第１基板より実装面積が小さい第２基板と、を作成するとともに、外周の少なくとも一部の厚みが、中央部よりも薄く形成する、カット工程と、
を有するとともに、
前記カット工程では、前記ベース基板を、前記第１基板にのみ接合する部分の厚さが、前記第１基板と前記第２基板とに挟持された部分の厚さよりも小さいように切削する、ものである。【００１１】
また、上記目的を達成するため、この発明の第４の観点に係る配線基板の製造方法は、
ベース基板を作成するベース基板作成工程と、
前記ベース基板の両面に位置する絶縁層を作成する絶縁層作成工程と、
前記絶縁層にヴィアを作成するヴィア作成工程と、
前記絶縁層をカットすることで、第１基板と、前記第１基板より実装面積が小さい第２基板と、を作成するとともに、外周の少なくとも一部の厚みが、中央部よりも薄く形成する、カット工程と、
を有するとともに、
前記カット工程では、前記ベース基板を、前記第１基板にのみ接合する部分が、不連続的に設けられているように切削する、ものである。
【発明の効果】
【００１２】
本発明によれば、配線基板が落下等の衝撃を受けた場合でも、配線基板に実装された電子部品間を接続する配線の断裂が起こりにくい。
【図面の簡単な説明】
【００１３】
【図１Ａ】本発明の一実施の形態に係る配線基板の側面図である。
【図１Ｂ】本発明の一実施の形態に係る配線基板の平面図である。
【図２】本発明の一実施の形態に係る配線基板の断面図である。
【図３】本発明の一実施の形態に係る配線基板の断面図である。
【図４】本発明の一実施の形態に係る配線基板の断面図である。
【図５】本発明の一実施の形態に係る配線基板の断面図である。
【図６】本発明の一実施の形態に係る配線基板の断面図である。
【図７Ａ】本発明の一実施の形態に係る配線基板の製造方法を説明するための工程図である。
【図７Ｂ】本発明の一実施の形態に係る配線基板の製造方法を説明するための工程図である。
【図７Ｃ】本発明の一実施の形態に係る配線基板の製造方法を説明するための工程図である。
【図７Ｄ】本発明の一実施の形態に係る配線基板の製造方法を説明するための工程図である。
【図７Ｅ】本発明の一実施の形態に係る配線基板の製造方法を説明するための工程図である。
【図７Ｆ】本発明の一実施の形態に係る配線基板の製造方法を説明するための工程図である。
【図７Ｇ】本発明の一実施の形態に係る配線基板の製造方法を説明するための工程図である。
【図７Ｈ】本発明の一実施の形態に係る配線基板の製造方法を説明するための工程図である。
【図７Ｉ】本発明の一実施の形態に係る配線基板の製造方法を説明するための工程図である。
【図７Ｊ】本発明の一実施の形態に係る配線基板の製造方法を説明するための工程図である。
【図７Ｋ】本発明の一実施の形態に係る配線基板の製造方法を説明するための工程図である。
【図７Ｌ】本発明の一実施の形態に係る配線基板の製造方法を説明するための工程図である。
【図７Ｍ】本発明の一実施の形態に係る配線基板の製造方法を説明するための工程図である。
【図７Ｎ】本発明の一実施の形態に係る配線基板の製造方法を説明するための工程図である。
【図７Ｏ】本発明の一実施の形態に係る配線基板の製造方法を説明するための工程図である。
【図７Ｐ】本発明の一実施の形態に係る配線基板を説明する図である。
【図８】本発明の一実施の形態に係る配線基板の断面図である。
【図９】本発明の一実施の形態に係る配線基板の製造方法を説明するための工程図である。
【図１０】本発明の一実施の形態に係る配線基板の断面図である。
【図１１】本発明の一実施の形態に係る配線基板の断面図である。
【図１２】本発明の一実施の形態に係る配線基板の断面図である。
【図１３】本発明の一実施の形態に係る配線基板の断面図である。
【図１４】本発明の一実施の形態に係る配線基板の断面図である。
【図１５】本発明の一実施の形態に係る配線基板の断面図である。
【図１６Ａ】本発明の一実施の形態に係る配線基板の断面図である。
【図１６Ｂ】本発明の一実施の形態に係る配線基板の断面図である。
【符号の説明】
【００１４】
１      第１基板
２      第２基板
３      ベース基板
７      キーパッド
８      電子チップ
９      半田
１０    金パッド
１３    多数層部
１４    少数層部
１９    本発明に係る配線基板
４４    ヴィア
５１    銅箔
５２    ダミーコア
５４    銅箔
５５    コア
６１    銅箔
６２    プリプレグ
６３    スルーホール
７１    銅箔
７２    エポキシ樹脂
８１    エポキシ樹脂
８２    銅箔
８３    ソルダーレジスト
９１    金メッキ
９２    電子部品
【発明を実施するための最良の形態】
【００１５】
（本発明の具体的一実施態様における配線基板の第１の実施の形態）
以下、図面を参照しながら本発明の具体的一実施態様における配線基板の実施の形態について説明する。
図１Ａに示すように、本発明の具体的一実施態様における配線基板１９は、一端部と他端部とで厚みが異なっており、厚みの異なる部分の層数は、厚みが薄い部分の層数と異なる。即ち、配線基板１９は、厚い多数（multi）層部１３と相対的に薄い少数層部１４とを備えている。多数層部１３は、第１基板１と第２基板２の２つの層が積層されて形成されており、少数層部１４は、多数層部１３から延設された第１基板１が存在する。【００１６】
図１Ａ、１Ｂに示すように、第１基板１と第２基板２とは、同一の幅と異なる長さを有し、第１基板１の一方の端部と第２基板２の一方の端部とは、そろえて配列している。第１基板１の厚みは、中央部の厚みである第１基板１とベース基板３と第２基板２との合計の厚みよりも薄い。同様に、第２基板２の厚みは、中央部の厚みより薄い。ベース基板３の厚みは、中央部の厚みより薄い。第１基板１と第２基板２は、それぞれ、エポキシ樹脂等の非可撓性基材で構成されている。【００１７】
第１基板１及び第２基板２の表面（実装面）には、電子部品を接続するための接続パッドが形成され、第１基板１及び第２基板２の表面（実装面）及び内部には、電気回路を構成する配線パターンが形成されている。【００１８】
第１基板１と第２基板２の実装面には、電子部品７、８が配置され、必要に応じて接続パッドに接続されている。各電子部品７、８は、接続パッド、及び配線パターンを介して相互に接続されている。【００１９】
配線基板１９は、例えば、携帯電話装置の筐体内に配置される。この場合、少数層部１４に配置される電子部品７は、例えば、キーボードのキーパッドから構成され、多数層部１３に配置される電子部品８は、電子チップ、ＩＣモジュール、機能部品などから構成される。また、多数層部１３と少数層部１４との段差部分には、例えば、薄型のバッテリが配置される。【００２０】
次に、上記全体構成を有する配線基板１９の詳細な構成を図２を参照して説明する。図示するように、第１基板１と第２基板２とは、ベース基板３を介して積層されている。ベース基板３は、その一端（図面左端）が第１基板１及び第２基板２と面一となるように配置されている。ベース基板３は、ガラスエポキシ樹脂等の硬度の高い物質から構成されている。ベース基板３は５０〜１００μｍ、望ましくは、１００μｍ程度に構成される。【００２１】
ベース基板３は、第１基板１にのみ接合する部分の厚さが、第１基板１と第２基板２とに挟持された部分の厚さよりも小さい。即ち、ベース基板３は、少数層部１４に位置するところにある部分の厚さが、多数層部１３に位置するところにある部分の厚みよりも小さい。本実施の形態では、少数層部１４に位置するところにあるベース基板３の厚みは、多数層部１３に位置するところにあるベース基板３の厚みの１／２である。なお、少数層部１４に設けられているベース基板３の厚みは、多数層部１３に設けられているベース基板３の厚みの０．２倍から０．５倍であることが望ましい。【００２２】
第１基板１は、複数の絶縁層１ａ、１ｂ、１ｃが積層された構造を有する。各絶縁層は、厚さ１０μｍ〜６０μｍ程度のエポキシ樹脂等から構成される。絶縁層１ａの上面、エポキシ樹脂層１ａと１ｂの間、絶縁層１ｂと１ｃの間、絶縁層１ｃの下面上には、配線パターン１１１ａ、１１１ｂ、１１１ｃ、１１１ｄがそれぞれ形成されている。各配線パターン１１１ａ、１１１ｂ、１１１ｃ、１１１ｄは、この回路基板内の必要箇所同士を電気的に接続する。【００２３】
第２基板２も、厚さ１０μｍ〜６０μｍ程度の複数のエポキシ樹脂等から構成された絶縁層２ａ、２ｂ、２ｃを積層した構造を有する。絶縁層２ａの下面、エポキシ樹脂層２ａと２ｂの間、絶縁層２ｂと２ｃの間、絶縁層２ｃの上面には、配線パターン２１１ａ、２１１ｂ、２１１ｃ、２１１ｄがそれぞれ形成されている。各配線パターン２１１ａ、２１１ｂ、２１１ｃ、２１１ｄは、この回路基板内の必要箇所同士を電気的に接続する。【００２４】
キーパッド７は、少数層部１４の表面に形成された導体パターン上に配置されている。また、電子チップ８は、半田９により、接続パッド１０を介して配線パターンやビルドアップヴィア４に固定及び接続されている。半田９はＳｎ／Ａｇ／Ｃｕを使用した。【００２５】
さらに、ベース基板３を貫通し、さらに第１基板１及び第２基板２を貫通し、第１基板１の配線パターン１１１ａと第２基板２の配線パターン２１１ｄとを接続するスルーホール６３が設けられている。スルーホール６３は内面がメッキされ配線パターン間を電気的に接続している。メッキされたスルーホール６３の内側にはエポキシ樹脂等の樹脂が充填されていても良い。【００２６】
第１基板１及び第２基板２には複数のビルドアップヴィア４が設けられている。ビルドアップヴィア４は、各絶縁層１ａ〜１ｃ、２ａ〜２ｃに形成されたヴィア４４をスタックして構成される。ビルドアップヴィア４は、配線パターン１１１ａ〜１１１ｄの必要箇所同士を接続し、また、配線パターン２１１ａ〜２１１ｄの必要箇所同士を接続する。ビルドアップヴィア４を形成する各ヴィア４４の内面には、銅メッキ等で形成された導体層が形成されている。図３に示すように、各ヴィア４４内には銅等の導体が充填されている。なお、図４に示すように、ヴィア４４内にエポキシ樹脂等の樹脂が充填されていてもよい。【００２７】
上記構成を有する配線基板１９は、例えば、キーパッド７の操作信号をビルドアップヴィア４や配線パターン１１１ａ〜１１１ｄ、スルーホール６３を介してＩＣチップに伝達するなど、ＩＣチップによりこれを処理し、各種の信号処理を行うことができる。【００２８】
また、上述のように、配線基板１９は、多数層部１３と少数層部１４とから構成され、段差を有する。そして少数層部１４の下部には携帯電話の電池等の体積が大きい部品を配置できる。【００２９】
ベース基板３はガラスエポキシ樹脂等のように高い剛性を有する材料から構成される。多数層部１３は、相対的に厚みがあるベース基板３が存在するために、少数層部１４と比較して、高い剛性を有する。一方、少数層部１４は多数層部１３と比較して相対的に軟性を有する。このため、配置する電子部品が必要とする信頼度に応じた配置が可能となる。【００３０】
また、電子機器を落下させて、配線基板１９に衝撃等が加わった場合、少数層部１４は多数層部１３と比較して相対的に軟性を有するから、図５で、矢印３７に示すように少数層部１４は振動する。そして少数層部１４の部分が振動するから、落下等の衝撃が振動の運動エネルギーに変換されることで、衝撃が吸収される。その結果、配線基板１９に実装されている電子部品間を接続する配線の断裂を起こりにくくすることができる。【００３１】
また、ビルドアップヴィア４は複数のヴィア４４が積層されたスタックドヴィアから構成される。このようなスタック状の層間接続構造にすることで、配線長を短くすることができ、大電力が必要な電子部品の実装に適したものになる。【００３２】
さらに、ビルドアップヴィア４はある程度の可動性を有している。そのため、電子機器を落下させて、例えば、配線基板１９に衝撃が加わったとしても、図６で、矢印３８、３９に示すように、ビルドアップヴィア４が撓むことで、ビルドアップヴィア４が衝撃を吸収できる。その結果、配線基板１９に実装されている電子部品間を接続する配線の断裂を起こりにくくすることができる。【００３３】
また、ベース基板３を貫通するスルーホール６３が設けられ、このスルーホール６３の内面がメッキされている（あるいは、樹脂が充填されている）。このため、図２に示すように、配線基板に基板の水平方向からせん断力Ｆｓがかかったとしても、スルーホール６３がせん断力に対抗力Ｆａで対抗し、第１の基板１と第２の基板２とがずれる事態を防止できる。【００３４】
また、ベース基板３の少数層部１４にのみ接合する部分が、配線基板１９のそりを防止する。多数層部１３は多層構造であるため、少数層部１４と比較して剛性を有する。そのため多数層部１３にそりは生じにくい。一方、少数層部１４は多数層部１３と比較して軟性を有する。そのため少数層部１４にそりが生じるおそれがある。しかし、少数層部１４の下方向には厚みが薄いベース基板３が接合している。この厚みが薄いベース基板３が少数層部１４を支える。だから少数層部１４にそりが発生することを起こりにくくすることができる。【００３５】
（本発明の具体的一実施態様における配線基板の製造方法）
以下に本発明に係る配線基板１９を製造する方法を説明する。
まず、図７Ａに示すように、ベース基板３として機能するコア５５を用意する。コア５５は、例えば、ガラスエポキシ樹脂等の高硬度の材料から形成される。コア５５の両面には銅箔５４を配置する。【００３６】
次に、図７Ｂに示すように、銅箔５４をパターニングして、配線パターンを構成する導体パターン１１１ｄ、２１１ａを形成する。【００３７】
次に、図７Ｃに示すように、コア５５の上下にプリプレグ６２ａ、６２ｂを積層する。なお、プリプレグ６２ａ、６２ｂとしては、ローフローのエポキシ樹脂が浸侵されたローフロープリプレグが望ましい。続いて、プリプレグ６２ａと６２ｂの表面に銅箔６１を配置する。【００３８】
次に、図７Ｄに示すように、図７Ｃで示された積層体を加圧プレスする。加圧プレスは例えば水圧によるハイドロプレス装置を用いて、温度摂氏２００度、圧力４０ｋｇｆ、加圧時間３時間の条件で行う。これにより、プリプレグから樹脂が漏出し、プリプレグとコアとを一体化する。なお、加圧プレスは、ハイドロプレスの代わりに、真空プレスを行うことができる。真空プレスを行うことで絶縁層を構成する樹脂に気泡が混入することを防止できる。真空プレスは例えば１時間にわたって実施される。加熱のピーク温度は例えば１７５℃に設定される。真空プレスの圧力は例えば３．９０×１０６［Ｐａ］に設定される。【００３９】
次に、図７Ｅに示すように、銅箔６１を必要以外の部分を除去することで、内層パターンを形成する。【００４０】
次に、図７Ｆに示すように、さらにエポキシ樹脂７２を積層させて、内層を形成する。エポキシ樹脂７２の両面には銅箔７１が設けられている。【００４１】
次に、図７Ｇに示すように、ヴィア４４が形成される。即ち、絶縁性樹脂であるエポキシ樹脂７２に、ヴィアホール作成用の開口を設ける。この開口は、レーザ照射によって形成できる。そして、レーザ照射によって形成された開口の側面及び底面に残留する樹脂残滓を除去するために、デスミア処理を行う。このデスミア処理は、酸素プラズマ放電処理、コロナ放電処理、紫外線レーザ処理またはエキシマレーザ処理等によって行なう。レーザ照射により形成された開口には導電性物質が充填されて、充填ヴィアホールが形成される。導電性物質としては、導電性ペーストや電解メッキ処理によって形成される金属メッキが好適である。例えばヴィア４４は銅メッキなどにより導体で充填される。充填ヴィアホールの作成工程をシンプルにして、製造コストを低減させ、歩留まりを向上させるためには、導電性ペーストの充填が好ましい。例えば導電性ペースト（例えば、導電粒子入り熱硬化樹脂）をスクリーン印刷などで印刷し、これをヴィア４４内に充填し、硬化させることも可能である。ヴィア４４の内部を同一の導電性ペースト材料で充填することで、ヴィア４４の熱応力がかかった際の接続信頼性を向上させることができる。一方、接続信頼性の点では電解メッキ処理によって形成される金属メッキが好ましい。特に電解銅メッキが好適である。【００４２】
次に、図７Ｈに示すように、銅箔７１を必要以外の部分を除去することで、内層パターンを形成する。【００４３】
次に、図７Ｉに示すように、さらに、内層形成及びヴィア形成をした後、エポキシ樹脂８１を積層させて、外層を形成する。エポキシ樹脂８１の両面には銅箔８２が設けられている。ここでは樹脂付き銅箔シート（Resin Cupper Film; ＲＣＦ）を配置して、プレスすることができる。【００４４】
次に、図７Ｊに示すように、ＲＣＦにヴィアを形成する。さらに、図７Ｉで示された積層体に、ドリルで孔を開ける。孔は、ベース基板、及び、ベース基板の両側に設けられた絶縁層を貫通する。これにより、スルーホール６３が設けられる。続いて、銅メッキなどにより、ヴィア内及びスルーホール６３内に導体を充填する。また、必要に応じて、表面の銅箔をパターニングし、導体パターンを形成する。【００４５】
次に、図７Ｋに示すように、スルーホール６３内にエポキシ樹脂が充填される。そして、銅箔８２を必要以外の部分を除去することで、外層パターンを形成する。【００４６】
次に、図７Ｌに示すように、ソルダーレジスト８３を設ける。ここでソルダーレジストとは耐熱性被覆材料のことで半田塗布の際にこの部分に半田が付着しないようにカバーするためのものである。ソルダーレジストの種類としては光硬化性ソルダーレジストや熱硬化性ソルダーレジストを用いることができる。塗布方法はスクリーン印刷法やカーテンコート法を使用できる。【００４７】
次に、図７Ｍに示すように、外層パターンを保護するために化学メッキにより、金メッキ９１を行う。なお、化学メッキ以外にも溶融メッキ、電気メッキなどの方法を用いることも可能である。さらには、金メッキ以外にも合金メッキを用いることも可能である。【００４８】
次に、図７Ｎに矢印４１で示すように、レーザ加工装置から、レーザ光、例えば、ＣＯ２レーザを照射して、絶縁層及び樹脂付き銅箔シート（ＲＣＦ）をカットする。【００４９】
さらに、図７Ｏに矢印４２で示すように、レーザ加工装置から、レーザ光を照射して、ベース基板３の第１基板１にのみ接合する部分の厚さを薄く切削する。また、矢印４２で示す切削により、第１基板１と、第１基板１より実装面積が小さい第２基板２と、が得られる。なお、図７Ｏに示すように、電子部品９２の実装も行われる。この電子部品９２は、電子チップ８やキーパッド７である。【００５０】
そして、図７Ｐに示すように、配線基板１９Ａと配線基板１９Ｂと切り離して使用する。このように、一枚のコア５５にエポキシ樹脂を積層していき、レーザでカットすることで、一枚のコアから二つの配線基板１９Ａと１９Ｂを得ることができるから、効率的に配線基板を製造することができる。【００５１】
（本発明の具体的一実施態様における配線基板の第２の実施の形態）
以下に、図８に示すように、本発明の第２の実施の形態に係る配線基板を説明する。第２の実施の形態では、ベース基板３の第１基板１にのみ接合する部分が、不連続的に設けられている。即ち、ベース基板３の少数層部１４の下に位置する部分が、不連続的に設けられている。【００５２】
少数層部１４では、ベース基板３が不連続的に設けられているから、少数層部１４は多数層部１３と比較して軟性を有する。少数層部１４は軟性を有するから、少数層部１４は振動する。そして少数層部１４が振動するから、衝撃が振動の運動エネルギーに変換されることで、衝撃が吸収される。その結果、少数層部１４を形成する第１基板１に実装されている電子部品の接続の信頼性が向上する。【００５３】
第２の実施の形態に係る配線基板を製造する方法は、図７Ａ〜７Ｎまで、第１の実施の形態に係る配線基板の製造方法と共通であり、図７Ｏの代わり図９に示すように、レーザ照射４３で、ベース基板３を不連続的に切削する。【００５４】
（本発明の具体的一実施態様における配線基板の第３の実施の形態）
また、第１の実施の形態では、ベース基板３はガラスエポキシ樹脂で形成された。しかし、図１０及び図１１に示すように、第３の実施の形態では、ベース基板３は、無機繊維に樹脂を含浸した基材を含んで構成されている。第１基板１及び第２基板２は、可撓性樹脂を含んで構成される。このように構成すれば、ベース基板３が、無機繊維に樹脂を含浸した基材を含んでいるから、耐屈曲性を向上させることができる。【００５５】
無機繊維に樹脂を含浸した基材は、プリプレグを硬化して作成される。プリプレグは、エポキシ樹脂を無機繊維であるガラスクロスに含侵させた後、予め樹脂を熱硬化させて、硬化度を進めておくことで作成する。プリプレグを作成する樹脂はローフロー特性を有することが望ましい。もっとも通常のフロー特性を有するものでも使用することができる。また、プリプレグは、無機繊維であるガラスクロスにエポキシ樹脂を含侵させる量を減らすことによっても作成できる。【００５６】
無機繊維としてはガラスクロスに限定されるものではなく、例えばアルミナ繊維、炭素繊維（カーボンファイバー）、炭化ケイ素繊維、窒化ケイ素繊維等を用いることも可能である。【００５７】
第３の実施の形態に係る配線基板を製造する方法は、図７Ａにおいて、コア５５を形成する材料として、無機繊維に樹脂を含浸した基材を用いる。また、図７Ｃ、図７Ｆ、図７Ｉで積層される樹脂として可撓性樹脂を用いる。他は、第１の実施の形態若しくは第２の実施の形態に係る配線基板の製造方法と共通である。【００５８】
（本発明の具体的一実施態様における配線基板の第４の実施の形態）
上述の第１の実施の形態では、ベース基板３は、ガラスエポキシ樹脂で構成された。そして、第１基板１及び第２基板２は、エポキシ樹脂で構成された。もっとも、ベース基板３の材質と、第１基板１及び第２基板２の材質と、の組み合わせはこれに限定されない。図１２及び図１３に示されるように、第４の実施の形態では、ベース基板３は、無機繊維に樹脂を含浸した基材を含んで構成され、第１基板１及び第２基板２は、無機フィラー配合樹脂を含んで構成されている。このように構成すれば、ベース基板３が、無機繊維に樹脂を含浸した基材を含んでいるから、耐屈曲性を向上させることができる。そのため、携帯電話等の電子機器が落下等の衝撃を受けた場合でも、配線基板に実装された電子部品間を接続する配線の断絶を起こりにくくすることができる。【００５９】
無機フィラー配合樹脂は、エポキシ樹脂にシリカフィラーやガラスフィラーを配合して作成できる。エポキシ樹脂に加えて、若しくは、エポキシ樹脂以外にも、ポリイミド、ポリカーボネート、ポリブチレンテレフタレート、ポリアクリレートを用いることができる。【００６０】
シリカフィラーとしては、溶融シリカ（ＳｉＯ２）、結晶シリカ（ＳｉＯ２）などを用いることができる。またガラスフィラーとしては、酸化アルミニウム（Ａｌ２Ｏ３）、酸化マグネシウム（ＭｇＯ）、窒化ホウ素（ＢＮ）、窒化アルミニウム（ＡｌＮ）等を用いることができる。さらに、無機フィラーとしてはシリカフィラーやガラスフィラーに限定されるものではなく、三酸化アンチモン、五酸化アンチモン、水酸化マグネシウム等を用いることができる。【００６１】
第４の実施の形態に係る配線基板を製造する方法は、図７Ａにおいて、コア５５を形成する材料として、無機繊維に樹脂を含浸した基材を用いる。また、図７Ｃ、図７Ｆ、図７Ｉで積層される樹脂として無機フィラー配合樹脂を用いる。他は、第１の実施の形態若しくは第２の実施の形態に係る配線基板の製造方法と共通である。【００６２】
（本発明の具体的一実施態様における配線基板の第５の実施の形態）
上述の第１の実施の形態では、ベース基板３は、ガラスエポキシ樹脂で構成された。そして、第１基板１及び第２基板２は、エポキシ樹脂で構成された。もっとも、ベース基板３の材質と、第１基板１及び第２基板２の材質と、の組み合わせはこれに限定されない。図１４及び図１５に示されるように、第５の実施の形態では、ベース基板３は、無機フィラー配合樹脂を含んで構成され、第１基板１及び第２基板２は、無機繊維に樹脂を含浸した基材を含んで構成されている。このように構成すれば、第１基板１と第２基板２の少なくともいずれか一つが無機繊維で補強されているから、耐屈曲性を向上させることができる。そのため、携帯電話等の電子機器が落下等の衝撃を受けた場合でも、配線基板に実装された電子部品間を接続する配線の断絶を起こりにくくすることができる。【００６３】
上述した無機繊維や無機フィラー等の無機材料は、有機材料である樹脂と比較して、熱膨張率が小さく、伸縮が小さい。このため、無機繊維や無機フィラー等の無機材料が配合されている場合は、接続ランドの位置ずれを小さくすることができる。【００６４】
第５の実施の形態に係る配線基板を製造する方法は、図７Ａにおいて、コア５５を形成する材料として、無機フィラー配合樹脂を用いる。また、図７Ｃ、図７Ｆ、図７Ｉで積層される材料として無機繊維に樹脂を含浸した基材を用いる。他は、第１の実施の形態若しくは第２の実施の形態に係る配線基板の製造方法と共通である。【００６５】
（本発明におけるその他の実施の態様）
上述の実施の形態では、第１基板１の一方の端部と第２基板２の一方の端部とは、そろえて配列していた。もっとも、このような実施形態に限定されない。図１６Ａに示されるように、第２基板２の一方の端部が、第１基板１の一方の端部よりも突出していても良い。ここでは、第２基板２の厚みは、中央部の厚みよりも薄い。同様に、第１基板１の厚みは、中央部の厚みより薄い。ベース基板３の厚みは、中央部の厚みより薄い。【００６６】
また、図１６Ｂに示されるように、第１基板１の一方の端部が、第２基板２の一方の端部よりも突出していても良い。ここでは、第１基板１の厚みは、中央部の厚みよりも薄い。同様に、第２基板２の厚みは、中央部の厚みより薄い。ベース基板３の厚みは、中央部の厚みより薄い。【００６７】
また、本発明の第１の実施の形態に係る配線基板は、第１基板１と第２基板２は、長方形の輪郭を有する層状構造であった。もっともこれに限定されるわけではなく、円形、六角形、八角形等の輪郭を有する層状構造であることも可能である。【００６８】
また、第１の実施の形態では、第１基板１及び第２基板２をエポキシ樹脂で構成した。もっともこれに限定されない。第１基板１及び第２基板２は、ポリイミド、ポリカーボネート、ポリブチレンテレフタレート、ポリアクリレート等で構成できる。また、第１基板１及び第２基板２をエポキシ樹脂で構成する場合でも、ナフタレン型エポキシ樹脂、ジシクロペンタジエン型エポキシ樹脂、ビフェニル型エポキシ樹脂、ビスフェノール型エポキシ樹脂などを使用できる。【００６９】
第１の実施の形態では、半田９としてＳｎ／Ａｇ／Ｃｕを使用した。もっともこれに限定されない。半田９としては、アンチモン、すず、鉛、インジウム、銅などからなる半田を用いることができる。また、Ｓｎ／Ｓｂ、Ｓｎ／Ａｇ、Ｓｎ／Ｐｂ、Ｓｂ／Ｃｕ等の共晶金属をも用いることができる。これらの共晶金属の中でも、基板への悪影響を与えることがないようにするために、融点が２５０℃以下の比較的に低融点のものを用いることが望ましい。【００７０】
また、第１基板１は単層で構成する必要はなく、複数層で構成することも可能である。即ち、第１基板１を下層絶縁層と上層絶縁層とで構成することも可能である。ここで下層絶縁層とはベース基板３近くに設けられた絶縁層である。上層絶縁層とは配線基板の外側表面に設けられた絶縁層である。さらに、第１基板１を下層絶縁層と上層絶縁層とそれらの中間にある中間絶縁層とで構成することも可能である。中間絶縁層は複数の層とすることも可能である。第１の実施の形態では、下層絶縁層がエポキシ樹脂層１ｃに、中間絶縁層がエポキシ樹脂層１ｂに、上層絶縁層がエポキシ樹脂層１ａにあたる。【００７１】
また、第２基板についても単層で構成する必要はなく、複数層で構成することも可能である。そして、第２基板２を下層絶縁層と上層絶縁層とで構成することも可能である。さらに、第２基板２を下層絶縁層と上層絶縁層とそれらの中間にある中間絶縁層とで構成することも可能である。第１の実施の形態では、下層絶縁層がエポキシ樹脂層２ａに、中間絶縁層がエポキシ樹脂層２ｂに、上層絶縁層がエポキシ樹脂層２ｃにあたる。上層絶縁層上と下層絶縁層上とに導体パターンを設けることができる。そして、これらの導体パターン同士をヴィア４４で接続することが可能である。
【産業上の利用可能性】
【００７２】
本発明は、電子部品を実装可能な配線基板、具体的には小型電子機器に電子部品を実装可能な配線基板として用いることが可能である。
【図１Ａ】
2009011025.tif 000003
【図１Ｂ】
2009011025.tif 000004
【図２】
2009011025.tif 000005
【図３】
2009011025.tif 000006
【図４】
2009011025.tif 000007
【図５】
2009011025.tif 000008
【図６】
2009011025.tif 000009
【図７Ａ】
2009011025.tif 000010
【図７Ｂ】
2009011025.tif 000011
【図７Ｃ】
2009011025.tif 000012
【図７Ｄ】
2009011025.tif 000013
【図７Ｅ】
2009011025.tif 000014
【図７Ｆ】
2009011025.tif 000015
【図７Ｇ】
2009011025.tif 000016
【図７Ｈ】
2009011025.tif 000017
【図７Ｉ】
2009011025.tif 000018
【図７Ｊ】
2009011025.tif 000019
【図７Ｋ】
2009011025.tif 000020
【図７Ｌ】
2009011025.tif 000021
【図７Ｍ】
2009011025.tif 000022
【図７Ｎ】
2009011025.tif 000023
【図７Ｏ】
2009011025.tif 000024
【図７Ｐ】
2009011025.tif 000025
【図８】
2009011025.tif 000026
【図９】
2009011025.tif 000027
【図１０】
2009011025.tif 000028
【図１１】
2009011025.tif 000029
【図１２】
2009011025.tif 000030
【図１３】
2009011025.tif 000031
【図１４】
2009011025.tif 000032
【図１５】
2009011025.tif 000033
【図１６Ａ】
2009011025.tif 000034
【図１６Ｂ】
2009011025.tif 000035
【手続補正書】
【提出日】平成21年12月22日(2009.12.22)
【手続補正１】
【補正対象書類名】明細書
【補正対象項目名】０００６
【補正方法】変更
【補正の内容】
【０００６】
しかし、特許文献２に開示された技術でも、プリント基板が落下等の衝撃を受けた場合に、プリント基板に衝撃が伝わることで、電子部品間を接続する配線が断裂する場合がある。
【特許文献１】特開平５−１５２６９３号公報
【特許文献２】ＷＯ０５／０２９９３４
【国際調査報告】
2009011025.tif 000036
2009011025.tif 000037